(57)【特許請求の範囲】
【請求項１】
光を放射する第１の光源と、
前記第１の光源とは波長の異なる光を放射する第２の光源と、
光が通過しない遮光部と、光が透過する透光部とを有する背景板と、
光が通過しない遮光部と、光が通過する透明部とを有すると共に、前記背景板の前方に位置する文字板と、
を備えた表示装置であって、
前記背景板の前記遮光部と前記透光部との境界部が、該表示装置の前方から見て前記文字板の前記透明部の領域内に位置し、
前記第１の光源から放射される光が、前記背景板の前記透光部を通過した後、前記文字板の前記透明部のうち前記背景板の前記透光部の前方に位置する部分から出射し、
前記第２の光源から放射される光が、前記文字板の前記透明部の全領域から出射する、
ように、前記第１の光源、前記第２の光源、前記背景板、及び、前記文字板が配置された、
表示装置。
【請求項２】
前記文字板の前記透明部に描かれた文字が、前記背景板の前記遮光部と前記透光部との境界部の前方に位置する請求項１に記載の表示装置。
【請求項３】
前記第１の光源から放射される光を前記背景板の前記透光部に導く第１のプリズムと、
前記第２の光源から放射される光を前記文字板の前記透明部に導く第２のプリズムと、
をさらに備える請求項１又は請求項２に記載の表示装置。
【請求項４】
前記第１のプリズム及び前記第２のプリズムが固定されるケースをさらに備え、
前記背景板が、前記第１のプリズムと前記第２のプリズムとの間に挟持される請求項３に記載の表示装置。
【請求項５】
前記背景板の前記透光部が、前記第１の光源から放射される光が入射する面及び透過光を出射する面の少なくとも一方においてグラデーション印刷及びスモーク印刷の少なくとも一方を施されている請求項１〜４のいずれか１項に記載の表示装置。
【請求項６】
前記文字板の前記透明部が、前記文字板に表示する各種情報に対応する開口部を有し、
前記第２のプリズムが、前記開口部を通じて前記文字板から突出する突出部を有し、
前記突出部が、前記第２の光源から放射される光の少なくとも一部を出射する、
請求項３〜５のいずれか１項に記載の表示装置。
【請求項７】
前記突出部が、前記文字板から突出する側面の少なくとも一部に所定の波長の光を透過する着色層を有する請求項６に記載の表示装置。
【発明の詳細な説明】
【技術分野】
【０００１】
本発明は、例えば自動車等の車両用のメータに使用される表示装置に関する。
【背景技術】
【０００２】
自動車等の車両用のメータに使用される表示装置は、例えば液晶の表示部に各種情報を表示することにより、使用者に情報を認識させるためのものである。このような表示装置は、運転者の目に頻繁に触れるために、高い装飾性やデザイン性が要求されることが多い。これに対して、複数の色による表示部への表示を可能とし、表示品質を高めることを目的とする表示装置が提案されている（特許文献１参照。）。
【先行技術文献】
【特許文献】
【０００３】
【特許文献１】特開２００９―２１０３０２号公報
【発明の概要】
【発明が解決しようとする課題】
【０００４】
自動車等の車両用のメータに使用される表示装置は、一般的に、光源から放射される光を表示部に裏側から照射することにより、表示部を照明するようになっている。
【０００５】
これに対して、特許文献１に開示された表示装置は、液晶表示部とこの液晶表示部を導光体を介して照明する光源を有するものである。光源は、それぞれが異なる色で発光する第１光源と第２光源とから成る。導光体は、光源ごとに互いに遮光する遮光部材を介して第１導光体と第２導光体に分割されたものである。第１導光体は、第１光源や第２光源からの光を液晶表示部に導光する照射部と、照射部に連設し第２導光体及び遮光部材の端部と液晶表示部の背面全体との間に介在する介在部とから成る。第１導光体には第１光源と第２光源を配置し、第２導光体には第１光源を配置している（特許文献１の図２参照。）。
【０００６】
特許文献１に開示された表示装置は、以上の構成により、第１導光体に第１光源からの光を照射し、第２導光体にも第１光源からの光を照射するモードと、第１導光体には第２光源からの光を照射し、第２導光体には第１の光源からの光を照射するモードとを使い分けて、複数の色による表示を切り替え可能に表示するものである。
【０００７】
しかしながら、特許文献１に開示された表示装置では、平面上への複数の色による表示にとどまる。これに対して、近年では、より装飾性やデザイン性が高い表示を実現できる表示装置が求められている。
【０００８】
本発明は、上述した事情に鑑みてなされたものであり、その目的は、より装飾性やデザイン性が高い表示を実現可能な表示装置を提供することにある。
【課題を解決するための手段】
【０００９】
前述した目的を達成するために、本発明に係る表示装置は、下記（１）〜（７）を特徴としている。
（１）  光を放射する第１の光源と、
前記第１の光源とは波長の異なる光を放射する第２の光源と、
光が通過しない遮光部と、光が透過する透光部とを有する背景板と、
光が通過しない遮光部と、光が通過する透明部とを有すると共に、前記背景板の前方に位置する文字板と、
を備えた表示装置であって、
前記背景板の前記遮光部と前記透光部との境界部が、該表示装置の前方から見て前記文字板の前記透明部の領域内に位置し、
前記第１の光源から放射される光が、前記背景板の前記透光部を通過した後、前記文字板の前記透明部のうち前記背景板の前記透光部の前方に位置する部分から出射し、
前記第２の光源から放射される光が、前記文字板の前記透明部の全領域から出射する、
ように、前記第１の光源、前記第２の光源、前記背景板、及び、前記文字板が配置された、こと。
（２）  上記（１）に記載の表示装置であって、
前記文字板の前記透明部に描かれた文字が、前記背景板の前記遮光部と前記透光部との境界部の前方に位置すること。
（３）  上記（１）又は（２）に記載の表示装置であって、
前記第１の光源から放射される光を前記背景板の前記透光部に導く第１のプリズムと、
前記第２の光源から放射される光を前記文字板の前記透明部に導く第２のプリズムと、
をさらに備えること。
（４）  上記（３）に記載の表示装置であって、
前記第１のプリズム及び前記第２のプリズムが固定されるケースをさらに備え、
前記背景板が、前記第１のプリズムと前記第２のプリズムとの間に挟持されること。
（５）  上記（１）〜（４）のいずれかに記載の表示装置であって、
前記背景板の前記透光部が、前記第１の光源から放射される光が入射する面及び透過光を出射する面の少なくとも一方においてグラデーション印刷及びスモーク印刷の少なくとも一方を施されていること。
（６）  上記（３）〜（５）のいずれかに記載の表示装置であって、
前記文字板の前記透明部が、前記文字板に表示する各種情報に対応する開口部を有し、
前記第２のプリズムが、前記開口部を通じて前記文字板から突出する突出部を有し、
前記突出部が、前記第２の光源から放射される光の少なくとも一部を出射すること。
（７）  上記（６）に記載の表示装置であって、
前記突出部が、前記文字板から突出する側面の少なくとも一部に所定の波長の光を透過する着色層を有すること。
【００１０】
上記（１）の構成の表示装置によれば、文字板の透明部から出射される光が視認される場合に、背景板の透光部は、文字板の透明部よりも、透明部から出射される光の出射方向において後方に位置するように視認される。更に、文字板の透明部から出射される光が視認される場合に、第２の光源は、背景板の透光部とは、異なる色で、且つ、透明部から出射される光の出射方向において異なる位置に位置するように視認される。
上記（２）の構成の表示装置によれば、文字板の透明部に描かれた文字の装飾性やデザイン性を高められる。
上記（３）の構成の表示装置によれば、第１の光源及び第２の光源の設置箇所は、任意に選択される。
上記（４）の構成の表示装置によれば、背景板は、第１のプリズムと第２のプリズムによりケースに対して固定される。
上記（５）の構成の表示装置によれば、背景板の透光部から出射される透過光は、グラデーション印刷又はスモーク印刷が施された層を通過して出射される。
上記（６）の構成の表示装置によれば、第２のプリズムの突出部から出射される光が視認される場合に、突出部は、文字板よりも、突出部から出射する光の出射方向において前方に位置するように視認される。
上記（７）の構成の表示装置によれば、突出部の色は、所定の色として視認される。
【発明の効果】
【００１１】
本発明の表示装置によれば、より装飾性やデザイン性が高い表示を実現可能な表示装置を提供できる。
【００１２】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１３】
【図１】図１は、実施形態による表示装置を正面から視た正面図である。
【図２】図２は、図１におけるＩＩ−ＩＩ線断面図である。
【図３】図３は、図１におけるＩＩＩ−ＩＩＩ線断面図である。
【図４】図４は、実施形態による表示装置の背景板の一部を、図１におけるＩＩＩ−ＩＩＩ線断面から斜視した斜視図である。
【図５】図５は、実施形態による表示装置を、図１におけるＩＩＩ−ＩＩＩ線断面から斜視した斜視図である。
【発明を実施するための形態】
【００１４】
本発明の表示装置に関する具体的な実施形態について、各図を参照しながら以下に説明する。
【００１５】
図１は、自動車等の車両用のメータに使用される表示装置１を示している。表示装置１は、該表示装置１が各種情報を呈示する表示領域の一部に、運転者に現在の速度を表示するための速度計１１を備えている。以下、図１を参照して、速度計１１の外観についてまず説明する。
【００１６】
速度計１１には、文字板２、指針２３、液晶表示器３、及び見返し４３が設けられている。文字板２は、樹脂により円盤状に形成され、前側（図１の図面手前に向かう方向を前、図１の図面奥に向かう方向を後、と称することがある。）に配置されている。文字板２には、目盛部９４及び数字部２１により構成された円弧状の速度スケール２２が前面に設けられている。数字部２１は、文字板２の前面に白色で描かれている。目盛部９４は、後述するように、第２のプリズム９の一部として形成されており、文字板２に形成された孔２４から前方に突出している。
【００１７】
また、文字板２は、遮光印刷が施され光が通過しない遮光部２ａと、透明材料により形成され光が通過する透明部２ｂとを有している。遮光部２ａは、文字板２と同心の円状に配設されており、透明部２ｂは、遮光部２ａの半径方向外側に環状に配設されている。
【００１８】
指針２３は、文字板２の中心付近から目盛部９４付近まで延びる透光性材料から成る棒状の部材である。指針２３は、文字板２の前方に配置されている。速度計１１は、指針２３の先端が速度スケール２２の一部を指し示すことにより、運転者に現在の速度を示す。
【００１９】
液晶表示器３は、デジタル画面が文字板に形成された開口から露出している。液晶表示器３は、トリップ距離と総走行距離とをデジタル画面上に数値表示する。
【００２０】
見返し４３は、筒状の形状であり、その筒状内部に、文字板２、指針２３、及び液晶表示部３が収容される。見返し４３の前方端面には、表硝子４４が取付けられている。
【００２１】
図２は、図１におけるＩＩ−ＩＩ線断面図を示しており、図３は、図１におけるＩＩＩ−ＩＩＩ線断面図を示している。速度計１１は、ケース４１、背面カバー４２、見返し４３、及び表硝子４４によって覆われている。速度計１１は、これらの部材によって覆われた内部に、文字板２、指針２３、第１のプリズム７、背景板８、第２のプリズム９、配線板５１、光源５２、光源５３、第１の光源５４、第２の光源５５、及び内機６が収容されている。以下、図２及び図３を参照して、速度計１１内部の構造について説明する。
【００２２】
速度計１１は、ケース４１に、配線板５１、第１のプリズム７、背景板８、第２のプリズム９及び文字板２が組付けられる。まず、配線板５１の構成について説明する。
【００２３】
配線板５１は、樹脂により板状に形成された前面に基板面を有する部材である。配線板５１には、複数の光源５２〜５５が、前方に向かって光を照射可能に、基板面に配置されている。特に、第１の光源５４は、青色光で発光するＬＥＤで構成されている。また、第２の光源５５は、白色光で発光するＬＥＤで構成されている。また、配線板５１には、内機６が後面に取付けられている。内機６は、指針２３を駆動するステッピングモータ（図示せず。）を備えており、ステッピングモータの軸部６１が配線板５１の前面から突出している。配線板５１は、ケース４１に設けられた遮光壁４１ａが第１の光源５４と第２の光源５５との間に位置するように、ケース４１に対して組付けられる。
【００２４】
第１のプリズム７は、第１の光源５４から放射される光を背景板８の後面に導くための導光部材である。第１のプリズム７は、前方に延びる、第１の光源５４からの光が入射する入射面７１ａを有する基部７１と、基部７１に対して屈曲した向きに該基部７１から延びる、入射面７１ａに入射し基部７１から伝搬した光を屈曲した向きに反射する第１傾斜面７２ａを有する屈曲部７２と、この屈曲部７２に連続して背景板８に向かって延びる、光を背景板８に導く照射部７３とを備えている。照射部７３の後面には、第１傾斜面７２ａで反射した光をさらに背景板８に向けて反射する第２傾斜面７３ａが設けられている。また、照射部７３の前面は、平面形状になっている。
【００２５】
第１のプリズム７は、ケース４１に対して、基部７１、屈曲部７２及び照射部７３のいずれかの後面がケース４１に接触するように、且つ、入射面７１ａが第１の光源と向かい合うように組付けられる。この際、第１のプリズム７は、ケース４１に対して、所定の係合手段を用いて位置決めして組付けられる。この係合手段としては、例えば、凹凸形状を用いた両部材の嵌合による係合を用いることができる。こうしてケース４１に組付けられた第１のプリズム７は、照射部７３の前面が文字板２の前面に平行に位置する。
【００２６】
背景板８は、前方から正面視した際、円弧状に形成された板状の部材である。背景板８は、透光性材料で形成されており、透光性を備えている。
図４は、実施形態による表示装置の背景板の一部を、図１におけるＩＩＩ−ＩＩＩ線断面から斜視した斜視図である。背景板８は、全体として円弧形状であり、遮光印刷が施され光を通過させない遮光部８ａと、光を透過する透光部８ｂとを有している。遮光部８ａは、円弧状に形成された背景板８の半径方向の内側に位置する領域である。透光部８ｂは、遮光部８ａの外縁に連続して背景板８の半径方向の外側に位置する領域である。透光部８ｂの前面には、半径方向の外側に向かって透過光を視認したときの色が薄くなるように、グラデーション印刷が施されている。さらに、透光部８ｂの前面に施されたグラデーション印刷上には、光の通過量が制限されるように、スモーク印刷が施されている。
【００２７】
再び図２及び図３を参照して、背景板８をケース４１に組付ける際の様子を説明する。背景板８は、ケース４１に対して、透光部８ｂの後面が第１のプリズム７の照射部７３の前面に対向し、且つ接触するように組付けられる。本実施形態では、背景板８は、第１のプリズム７の前面によって、ケース４１に対して前後方向に位置決めされるだけではなく、ケース４１の周縁部及び遮光壁４１ａの先端部によっても、ケース４１に対して上下方向に位置決めして組付けられる（図２の図面上方に向かう方向を上、図２の図面下方に向かう方向を下、と称することがある。）。
【００２８】
第２のプリズム９は、第２の光源５５から放射される光を文字板２の後面に導くための導光部材である。第２のプリズム９は、前方に延びる、第２の光源５５からの光が入射する入射面９１ａを有する基部９１と、基部９１に対して屈曲した向きに該基部９１から延びる、入射面９１ａに入射し基部９１から伝搬した光を屈曲した向きに反射する第１傾斜面９２ａを有する屈曲部９２と、この屈曲部９２に連続して文字板２に向かって延びる、光を文字板２に導く照射部９３とを備えている。また、照射部９３の前面は、平面形状になっている。
【００２９】
照射部９３の前面には、矩形状に形成された、該前面から前方に向かって突出した目盛部９４が形成されている。目盛部９４は、目盛部９４ａと目盛部９４ｂとを備え、目盛部９４の一方の目盛部９４ｂには、その前面に、遮光性を有する黒色の層が印刷形成されている。目盛部９４の他方の目盛部９４ａには、黒色の層が印刷形成されていない。図１に示すように、目盛部９４ａと目盛部９４ｂとは、速度スケール２２上に交互に並ぶように配置されている。
【００３０】
第２のプリズム９は、ケース４１に対して、照射部９３の後面が背景板８の前面に対向し、且つ接触するとともに、入射面９１ａが第２の光源５５と向かい合うように組付けられる。第２のプリズム９は、ケース４１に対して、所定の係合手段を用いて位置決めして組付けられる。この係合手段としては、第１のプリズム７をケース４１に対して係合するために用いた係合手段を用いることもできるし、他の異なる係合手段を用いてもよい。こうしてケース４１に組付けられた第２のプリズム９は、照射部９３の後面が背景板８の前面に平行に、且つ照射部９３の前面が文字板２の前面に平行に、位置する。また、組付け時には、第２のプリズム９に形成された目盛部９４は、文字板２の透明部２ｂに垂直に穿たれた孔２４に挿入され、文字板２の前面から前方に突出する。これにより、第２のプリズム９は、文字板２に対して、文字板２の前面に沿う方向に位置決めして組付けられる。
【００３１】
文字板２には、液晶表示器（ＴＦＴ−ＬＣＤ：Thin Film Transistor Liquid Crystal Display）３が後面に取付けられている。液晶表示器３の後面側には拡散板が取付けられており、拡散板が配線板５１に設けた光源５２からの光を液晶表示器３の後面に向けて拡散することにより、液晶表示器３が照明される。
【００３２】
文字板２は、ケース４１に対して、透明部２ｂの後面が第２のプリズム９の前面に接触するように、且つ、拡散板が光源５５と向かい合うように組付けられる。
【００３３】
指針２３は、文字板２のケース４１に対する組付け後に、回転軸が文字板２の中心部に形成された孔に挿入されてステッピングモータの軸部６１に結合される。指針２３は、配線板５１に設けた光源５３により照明される。
【００３４】
以上のように、ケース４１に、配線板５１、第１のプリズム７、背景板８、第２のプリズム９及び文字板２が組付けられる。第１のプリズム７、背景板８、及び第２のプリズム９は、ケース４１と文字板２との間に挟持されることにより、ケース４１に対して固定されている。また、背景板８は、第１のプリズム７と第２のプリズム９との間に挟持されることにより、ケース４１に対して固定されている。これらの組付け後、ケース４１に、見返し４３、背面カバー４２が組付けられる。見返し４３は、上側が下側よりも前方に張り出しており、上側からの文字板２への光の入射を制限して速度計１１の視認性を確保している。見返し４３の開口部には、弧状部を下側に向け、反射光が前方に向かないようにした表硝子４４が取付けられている。
【００３５】
次に、第１の光源５４及び第２の光源５５から放射された光の進路について説明する。
図５は、実施形態による表示装置を、図１におけるＩＩＩ−ＩＩＩ線断面から斜視した斜視図である。図５では、説明のために文字板２の前面に施された遮光印刷は図示せず、文字板２の後方に配置された背景板８を透過させて示している。図５に示すように、数字部２１は、文字板２の透明部２ｂに描かれており、背景板８の遮光部８ａと透光部８ｂとの境界部の前方に配設されている。孔２４は、文字板２の透明部２ｂに形成されており、背景板８の透光部８ｂの前方に配設されている。第２のプリズム９に形成された目盛部９４は、孔２４の位置において文字板２から前方に突出している。
【００３６】
第１の光源５４から放射された青色光は、第１のプリズム７の入射面７１ａに入射する。入射面７１ａに入射した光は、第１傾斜面７２ａ及び第２傾斜面７３ａで反射されて第１のプリズム７の前面より出射される。第１のプリズム７の前面より出射された光は、背景板８の透光部８ｂに入射した後、透過光として透光部８ｂから出射される。この際、透過光は、背景板８の前面に施されたグラデーション印刷及びスモーク印刷が施された層を通過して出射される。その後、透過光は、第２のプリズム９を通過して、文字板２の透明部２ｂから出射される。即ち、第１の光源５４から放射された青色光は、文字板２の透明部２ｂのうち、背景板８の透光部８ｂの前方に位置する部分から出射される。
【００３７】
第２の光源５５から放射された白色光は、第２のプリズム９の入射面９１ａに入射する。入射面９１ａに入射した光は、第１傾斜面Ｂ１で反射されて第２のプリズム９の前面より出射される。第２のプリズム９の前面より出射された光は、文字板２の透明部２ｂから出射される。即ち、第２の光源５５から放射された白色光は、文字板２の透明部２ｂの全領域から出射される。
【００３８】
つまり、文字板２の透明部２ｂのうち、背景板８の透光部８ｂの前方に位置する部分からは、第１の光源５４から放射された青色光及び第２の光源５５から放射された白色光が出射される。これに対して、文字板２の透明部２ｂのうち、背景板８の遮光部８ａの前方に位置する部分からは、第２の光源５５から放射された白色光のみが出射される。
【００３９】
また、第１の光源５４から放射された青色光は、第１のプリズム７及び背景板８及び第２のプリズム９を通過した後、目盛部９４ｂの前面から出射される。また、第２の光源５５から放射された白色光は、第２のプリズム９を通過した後、目盛部９４ｂの前面から出射される。即ち、目盛部９４ｂの前面からは、第１の光源５４から放射された青色光及び第２の光源５５から放射された白色光が出射される。目盛部９４ａの前面からは、遮光性を有する黒色の層が印刷形成されているために、第１の光源５４及び第２の光源５５から放射された光は出射されない。
【００４０】
次に、図１を参照して、表示装置１による表示の視認態様を説明する。
文字板２の遮光部２ａは、黒色として視認される。文字板２の透明部２ｂは、透明であるために視認されない。また、文字板２の透明部２ｂを透過してその後方が視えるが、背景板８の透光部８ｂにはスモーク印刷が施されているために、背景板８の後方にある部材は視認されない。このため、透明部２ｂからは、背景板８のうちの透明部２ｂの後方に位置する部分と、第２のプリズム９とが視認される。
【００４１】
より詳細には、透明部２ｂからは、次のように視認される。すなわち、背景板８の遮光部８ａは黒色として視認される。背景板８の透光部８ｂは、青色として視認され、文字板２の中心から半径方向の外側に向かって徐々に濃くなるように視認される。第２のプリズム９の前面は、白色光により照明されて視認される。また、目盛部９４ｂの前面は、黒色として視認される。
【００４２】
以下では、本実施形態に係る表示装置１の作用及び効果について説明する。
【００４３】
本実施形態に係る表示装置１は、光を放射する第１の光源５４と、第１の光源５４から放射される光が入射し、透過光が出射する透光部８ｂを有する背景板８と、透光部８ｂから出射される透過光が入射する透明部２ｂを有する文字板２と、を備えている。
これにより、文字板２の透明部２ｂから出射する光が視認される場合に、背景板８の透光部８ｂは、文字板２の透明部２ｂよりも、透明部２ｂから出射する光の出射方向において後方に位置するように視認される。
この結果、使用者に奥行きを認識させる表示が可能となり、より装飾性やデザイン性の高い表示を実現できる。
【００４４】
また、本実施形態に係る表示装置１は、第１の光源５４とは波長の異なる光を放射する第２の光源５５をさらに備え、文字板２の透明部２ｂには、第２の光源５５から放射される光が入射している。
これにより、文字板２の透明部２ｂから出射される光が視認される場合に、第２の光源５５は、背景板８の透光部８ｂとは、異なる色で、且つ、透明部２ｂから出射される光の出射方向において異なる位置に位置するように視認される。
この結果、使用者に奥行きをより認識させる表示が可能となり、より装飾性やデザイン性の高い表示を実現できる。
【００４５】
また、本実施形態に係る表示装置１は、第１の光源５４から放射される光を背景板８の透光部８ｂに導く第１のプリズム７と、第２の光源５５から放射される光を文字板２の透明部２ｂに導く第２のプリズム９と、をさらに備えている。
これにより、第１のプリズム７または第２のプリズム９の形状を変形することにより、第１の光源５４及び第２の光源５５の設置箇所が、任意に選択される。
この結果、設計の自由度を増加させることができる。
【００４６】
また、本実施形態に係る表示装置１は、第１のプリズム７と第２のプリズム９が固定されるケース４１をさらに備え、背景板８は、第１のプリズム７と第２のプリズム９との間に挟持されている。
これにより、背景板８は、第１のプリズム７と第２のプリズム９によりケース４１に対して固定される。
この結果、背景板をケースに対して固定するための固定機構が不要となり、省スペース化及び低コスト化を実現できる。
【００４７】
また、本実施形態に係る表示装置１は、背景板８の透光部８ｂの前面に、グラデーション印刷及びスモーク印刷が施されている。
これにより、背景板８の透光部８ｂから出射する透過光は、グラデーション印刷又はスモーク印刷が施された層を通過して出射される。
この結果、色の濃淡が強調されて表示されるようになり、より装飾性やデザイン性の高い表示を実現できる。
【００４８】
また、本実施形態に係る表示装置１は、第２の光源５５から放射される光を文字板２の透明部２ｂに導く第２のプリズム９をさらに備え、文字板２の透明部２ｂは、文字板２に表示する速度情報に対応する目盛部９４を有し、目盛部９４は、第２の光源５５から放射される光を出射している。
これにより、目盛部９４から出射する光が視認される場合に、目盛部９４は、文字板２よりも、目盛部９４から出射する光の出射方向において前方に位置するように視認される。
この結果、使用者により一層奥行きを認識させることができ、より装飾性やデザイン性の高い表示を実現できる。
【００４９】
また、本実施形態に係る表示装置１では、目盛部９４ｂの前面には、前面に遮光性を有する黒色の層が印刷形成されている。
これにより、目盛部９４ｂは、黒色として視認される。
この結果、使用者に所定の模様又は色彩の規則性を認識させることができ、装飾性やデザイン性の高い表示を実現できる。
【００５０】
尚、本発明の技術的範囲は、上述した実施形態に限定されるものではない。上述した実施形態は、本発明の技術的範囲内で種々の変形や改良等を伴うことができる。
【００５１】
例えば、本実施形態では、第１の光源５４は青色光で発光するＬＥＤで構成されており、第２の光源５５は白色光で発光するＬＥＤで構成されている、としたが、第１の光源５４は、可視光の波長領域に属する所定の波長の光を放射するものであればよいし、第２の光源５５は、第１の光源５４とは異なる波長の光を放射するものであればよい。
【００５２】
また、本実施形態では、第１の光源５４及び第２の光源５５から放射された光を所定の照射位置に導くために、第１のプリズム７及び第２のプリズム９を用いる構成としたが、両光源からの光が所定の照射位置に照射される構成であればよい。例えば、光源からの光が直接所定の照射位置に照射される構成としてもよい。
【００５３】
また、本実施形態では、目盛部９４ｂの前面に、遮光性を有する黒色の層が印刷形成されている構成としたが、可視光の波長領域に属する所定の波長の光を透過する着色層が印刷形成されている構成としてもよい。例えば、緑色や青色として視認される波長の光を透過する着色層を印刷形成してもよい。
【００５４】
また、本実施形態では、目盛部９４ｂの前面のみに、着色層が印刷形成されている構成としたが、目盛部９４の前面及び文字板２から突出する側周面の一部又は全面に、着色層が印刷形成されている構成としてもよい。これにより、使用者に、奥行きを認識させることができ、より装飾性やデザイン性の高い表示を実現できる。
【００５５】
また、本実施形態では、目盛部９４は、目盛部９４ａと目盛部９４ｂとを備え、目盛部９４ａと目盛部９４ｂとは、速度スケール２２上に交互に並ぶように配置されている構成としたが、目盛部９４は、使用者に所定の模様又は色彩の規則性を認識させるものであればよい。例えば、速度スケール２２上で８０ｋｍ／ｈ以上を示す目盛部９４の前面にのみ、着色層を印刷する構成としてもよい。
【００５６】
また、本実施形態では、文字板２の半径方向内側に遮光部２ａを、半径方向外側に透明部２ｂを配置する構成としたが、文字板２の半径方向内側に透明部を、半径方向外側に遮光部を配置してもよい。この場合には、背景板８についても、文字板２の透明部に対応する位置に透光部を配置すればよい。
【００５７】
また、本実施形態では、透光部８ｂの前面には、グラデーション印刷及びスモーク印刷の両方が施されている構成としたが、透光部８ｂの前面に、グラデーション印刷及びスモーク印刷のいずれか一方が施されていればよい。スモーク印刷を施すことにより、背景板８の後方に配置された部材、例えば配線板５１が使用者に視認されて表示装置１のデザイン性や装飾性が損なわれることを防止できる。また、グラデーション印刷を施すことにより、使用者に立体感を認識させる等の効果を実現でき、表示装置１のデザイン性や装飾性を高めることができる。スモーク印刷及びグラデーション印刷は、両方を施すことにより、いずれか一方のみを施した場合と比較してデザイン性や装飾性を一層高めることができるし、いずれか一方のみを施した場合であっても、上記効果を独立に奏することができる。
【００５８】
また、本実施形態では、透光部８ｂの前面の全体にグラデーション印刷及びスモーク印刷が施されている構成としたが、透光部８ｂの前面に部分的にグラデーション印刷及びスモーク印刷が施されていてもよい。
【００５９】
また、本実施形態では、透光部８ｂの前面には、半径方向の外側に向かって透過光の色が薄くなるように、グラデーション印刷が施されている構成としたが、半径方向の外側に向かって透過光の色が濃くなるように、グラデーション印刷が施されていてもよい。
【００６０】
また、本実施形態では、透光部８ｂの前面に、グラデーション印刷及びスモーク印刷の両方が施されている構成としたが、透光部８ｂの後面に、グラデーション印刷及びスモーク印刷が施される構成であってもよい。
【符号の説明】
【００６１】
１  表示装置
１１  速度計
２  文字板
２ａ  遮光部
２ｂ  透明部
２１  数字部
２２  速度スケール
２３  指針
２４  孔
３  液晶表示器
４１  ケース
４１ａ  遮光壁
４２  背面カバー
４３  見返し
４４  表硝子
５１  配線板
５２  光源
５３  光源
５４  第１の光源
５５  第２の光源
６  内機
６１  軸部
７  第１のプリズム
７１  基部
７１ａ  入射面
７２  屈曲部
７２ａ  第１傾斜面
７３  照射部
７３ａ  第２傾斜面
８  背景板
８ａ  遮光部
８ｂ  透光部
９  第２のプリズム
９１  基部
９１ａ  入射面
９２  屈曲部
９２ａ  第１傾斜面
９３  照射部
９４  目盛部
９４ａ  目盛部
９４ｂ  目盛部
【図１】
0005848954.tif 000002
【図２】
0005848954.tif 000003
【図３】
0005848954.tif 000004
【図４】
0005848954.tif 000005
【図５】
0005848954.tif 000006